(57)【特許請求の範囲】
【請求項１】
建物壁に沿って配設される配線・配管材のうち出隅部に配線・配管される出隅配設部を保護すべく、略直交する各壁面に沿って配管された給水湯管の２つの直線配設部を保護する２つの直線配設部保護カバーを略直交させて接続可能にするために両端部に形成された接続口と、前記配線・配管材の出隅配設部を収容保護する収容空間とを備えた保護カバーであって、
直交する２つの基台板部が前記出隅部を構成する各壁面にビスによりそれぞれ固定されるＬ字形の基台と、前記直線配設部保護カバーの各端部を覆った状態で前記基台に対して分離可能に係止される同じくＬ字形の蓋体とから成り、
前記基台は、全体が板状となって、縦断面視において曲げ、捩りにより変形可能であり、
前記基台を構成する各基台板部に前記ビスを挿通するために形成された各ビス挿通孔の双方が配管方向に沿って長孔状になっていることを特徴とする配線・配管材保護カバー。
【請求項２】
建物壁に沿って配設される配線・配管材のうち出隅部に配線・配管される出隅配設部を保護すべく、略直交する各壁面に沿って配管された給水湯管の２つの直線配設部を保護する２つの直線配設部保護カバーを略直交させて接続可能にするために両端部に形成された接続口と、前記配線・配管材の出隅配設部を収容保護する収容空間とを備えた配線・配管材保護カバーと、当該配線・配管材保護カバーの基台を構成する各基台板部と壁面との間に介装されて各基台板部を嵩上げするためのスペーサとから成り、
前記配線・配管材保護カバーは、直交する２つの基台板部が前記出隅部を構成する各壁面にビスによりそれぞれ固定されるＬ字形の基台と、前記直線配設部保護カバーの各端部を覆った状態で前記基台に対して分離可能に係止される同じくＬ字形の蓋体とから成り、前記基台を構成する各基台板部に前記ビスを挿通するために形成された各ビス挿通孔の少なくとも一方は、配管方向に沿って長孔状に形成され、
前記各基台板部に形成された長孔状のビス挿通孔の長さは、前記スペーサの厚さよりも長くなっていることを特徴とする配線・配管材保護カバー装置。
【請求項３】
建物壁に沿って配管される配線・配管材のうち入隅部に配設される入隅配設部を保護すべく、略直交する各壁面に沿って配管された２つの直線配設部を保護する２つの直線配設部保護カバーを略直交させて接続可能にするために両端部に形成された接続口と、前記配線・配管材の入隅配設部を収容保護する収容空間とを備えた保護カバーであって、
直交する２つの基台板部が前記入隅部を構成する各壁面にビスによりそれぞれ固定されるＬ字形の基台と、前記直線配設部保護カバーの各端部を覆った状態で前記基台に対して分離可能に係止される同じくＬ字形の蓋体とから成り、
前記基台は、全体が板状となって、縦断面視において曲げ、捩りにより変形可能であり、
前記基台を構成する各基台板部に前記ビスを挿通するためにそれぞれ形成された各ビス挿通孔の双方が配管方向に沿って長孔状になっていることを特徴とする配線・配管材保護カバー。
【請求項４】
建物壁に沿って配管される配線・配管材のうち入隅部に配設される入隅配設部を保護すべく、略直交する各壁面に沿って配管された２つの直線配設部を保護する２つの直線配設部保護カバーを略直交させて接続可能にするために両端部に形成された接続口と、前記配線・配管材の入隅配設部を収容保護する収容空間とを備えた配線・配管材保護カバーと、当該保護カバーの基台を構成する各基台板部と壁面との間に介装されて各基台板部を嵩上げするためのスペーサとから成り、
前記配線・配管材保護カバーは、直交する２つの基台板部が前記入隅部を構成する各壁面にビスによりそれぞれ固定されるＬ字形の基台と、前記直線配設部保護カバーの各端部を覆った状態で前記基台に対して分離可能に係止される同じくＬ字形の蓋体とから成り、前記基台を構成する各基台板部に前記ビスを挿通するためにそれぞれ形成された各ビス挿通孔の少なくとも一方は、配管方向に沿って長孔状に形成され、
前記各基台板部に形成された長孔状のビス挿通孔の長さは、前記スペーサの厚さよりも長くなっていることを特徴とする配線・配管材保護カバー装置。
【発明の詳細な説明】
【技術分野】
【０００１】
本発明は、建物を構成していて隣接する２つの壁面が直交する出隅部又は入隅部に配設された配線・配管材を保護する出隅及び入隅の各配設部の保護カバー、及び保護カバー装置に関し、更に詳しくは、壁面に対して基台が離れて固定された場合、或いは基台の固定後にスペーサを介在させる必要があることに気付いた場合に、螺入済のビスの全部又は一部を取り外すことなくそのままにして、同一のビス孔にビスを螺入して、基台の再固定が可能な配線・配管材の出隅及び入隅の各配設部を保護できる保護カバー、及び保護カバー装置に関するものである。なお、本明細書において「配線・配管材」とは、給水湯管やエアコン冷媒管、電線やケーブル等を言う。
【背景技術】
【０００２】
例えば、出隅部又は入隅部を有する壁面に沿って給水湯管を配管する場合には、建物の出隅部、及び入隅部を含んで壁面に沿って配管される給水湯管のうち直線部は直状の直線配管部保護カバーによって保護され、前記給水湯管の出隅部、及び入隅部は、それぞれＬ字形をした専用の保護カバーで保護されている。給水湯管の出隅配管部、及び入隅配管部を保護する各保護カバーは、前記直線配管部保護カバーと接続可能な接続口が両端に形成されていて、いずれも壁面に固定される基台と、当該基台の全体、及び前記直線配管部保護カバーの端部に対して覆蓋されて内部空間が配管空間を形成すると共に、当該基台に対して解除可能に係止される蓋体とで構成される（特許文献１参照）。
【０００３】
ここで、出隅配管部を保護する保護カバーの基台は、Ｌ字形をなしていて、互いに直交して一体成形された２枚の基台板部で構成され、各基台板部における２７０°の交差角を形成する側の各面に左右一対の被係止部が形成され、基台全体としては、計二対の被係止部が形成されている。一方、出隅配管部を保護する保護カバーの蓋体は、基台と同様にＬ字形をなしていて、９０°の交差角を形成する側が開口されて、側壁部の内側における当該開口に臨む部分に前記基台の被係止部と係止される計二対の係止部が形成されている。
【０００４】
また、入隅配管部を保護する保護カバーに関しては、当該保護カバーを構成する基台及び蓋体がいずれもＬ字形をなしている点は、出隅配管部保護カバーと同様であるが、基台を構成する各基台板部に対する被係止部の形成面、及び基台に対して覆蓋可能にするために蓋体に形成される開口の形成位置が出隅配管部保護カバーと逆の関係にある構成が異なる。しかし、基台に対して蓋体が覆蓋されて内部に配管空間が形成される構成、及び基台に対して蓋体が解除可能に係止される構成に関しては、出隅配管部、及び入隅配管部の各保護カバーにおいて共通した構成である。
【０００５】
ところで、出隅配管部、及び入隅配管部のいずれの保護カバーにおいても、出隅部、又は入隅部に基台の各基台板部を当てがって、ビスにより固定する場合において、電動工具によるビス螺入時（打込み時）の衝撃により、基台の各基台板部が壁面から離れたままで、壁面との間に隙間が形成された状態で固定される場合がある。この場合に、ビスを完全に取り外して、再度、基台を壁面に全面密着させてビスを壁面に螺入させると、前回のビス孔に近接する位置に別のビス孔が形成されてビスが螺入されるために、壁面のビス螺入部が崩れてしまい、ビスを用いて基台を壁面にしっかりと固定できない問題があった。
【０００６】
また、基台の各基台板部を各壁面にビスにより固定した後に、少なくとも一方の壁面との間にスペーサを介在させる必要があると気付いた場合、即ち、少なくとも一方の壁面との間にスペーサを介在させることを忘れて基台を固定した場合においては、２本のビスをいずれも外して、少なくとも一方の壁面との間にスペーサを介在させた後に、再度２本のビスを各壁面に螺入させて、壁面との間にスペーサを介在させた状態で、基台を壁面に固定する必要があった。従って、全てのビスの螺入作業を２回ずつ行う必要があり、手間がかかっていた。
【特許文献１】特開２００６−２９２０１１号公報
【発明の開示】
【発明が解決しようとする課題】
【０００７】
本発明は、壁面に対して基台が離れて固定された場合、或いは基台の固定後にスペーサを介在させる必要があることに気付いた場合に、螺入済のビスの全部又は一部を取り外すことなくそのままにして、或いは前回のビス孔と同一のビス孔にビスを螺入可能にして、基台の再固定が可能な配線・配管材の出隅、及び入隅の各配設部を保護できる保護カバー、及び保護カバー装置の提供を課題としている。
【課題を解決するための手段】
【０００８】
上記課題を解決するための請求項１の発明は、建物壁に沿って配設される配線・配管材のうち出隅部に配線・配管される出隅配設部を保護すべく、略直交する各壁面に沿って配管された給水湯管の２つの直線配設部を保護する２つの直線配設部保護カバーを略直交させて接続可能にするために両端部に形成された接続口と、前記配線・配管材の出隅配設部を収容保護する収容空間とを備えた保護カバーであって、直交する２つの基台板部が前記出隅部を構成する各壁面にビスによりそれぞれ固定されるＬ字形の基台と、前記直線配設部保護カバーの各端部を覆った状態で前記基台に対して分離可能に係止される同じくＬ字形の蓋体とから成り、前記基台は、全体が板状となって、縦断面視において曲げ、捩りにより変形可能であり、前記基台を構成する各基台板部に前記ビスを挿通するために形成された各ビス挿通孔の双方が配管方向に沿って長孔状になっていることを特徴としている。
【０００９】
請求項１の発明によれば、配線・配管材保護カバーを構成する基台は、全体が板状となって、縦断面視において曲げ、捩りにより変形可能であるため、ビス螺入時（打込み時）の衝撃により、一方又は双方の基台板部が出隅部の壁面から離れて基台が固定された場合には、前記「離れ」が解消される方向に基台の屈曲部に衝撃力を作用させると、各基台板部に形成されたビス挿通孔の双方が配管方向に沿って長孔状となっているために、ビスを全く或いは殆ど緩めることなく、そのままの螺入状態で、当該ビスに対して基台板部が前記「離れ」に対応する長さだけスライドされて、ビスによる基台板部の固定状態はそのまま維持される。従って、ビスを再螺入する（打ち直す）必要がなくなるため、壁面に対するビスの固定力が全く低下することなく、壁面に基台を固定できる。
【００１０】
また、出隅部を構成する各壁面に基台を固定した後に、基台板部との間にスペーサを介装すべきことに気付いた場合には、当該スペーサを介装する側の基台板部を壁面に固定しているビスを取り外して、基台板部と壁面との間に必要厚さのスペーサを介装した後に、再度当該スペーサと基台板部とを一体にしてビスにより壁面に固定する場合、当該ビスは、元のビス孔に螺入されるため、ビス孔の崩れがなくなって、スペーサ及び基台板部をしっかりと壁面に固定できる。また、スペーサと一体に壁面に固定する側の基台板部とは異なる「他方の基台板部」は、スペーサの介装により壁面に対して当該スペーサの厚さ分だけスライドされるが、当該「他方の基台板部」に形成されたビス挿通孔は、配管方向に沿って長孔状になっているため、「他方の基台板部」を壁面に固定しているビスは、螺入したままで「他方の基台板部」をスライドさせられる。従って、基台と壁面との間にスペーサを介装させるのを忘れて基台を壁面に固定した後に、スペーサを介装させる修復作業が容易となる。なお、上記したように壁面と基台板部との間にスペーサを介装させる場合には、スペーサを介装させる側の基台板部きは異なる「他方の基台板部」に形成されたビス挿通孔が長孔状になっていることが必要である。
【００１１】
また、請求項２の発明は、建物壁に沿って配設される配線・配管材のうち出隅部に配線・配管される出隅配設部を保護すべく、略直交する各壁面に沿って配管された給水湯管の２つの直線配設部を保護する２つの直線配設部保護カバーを略直交させて接続可能にするために両端部に形成された接続口と、前記配線・配管材の出隅配設部を収容保護する収容空間とを備えた配線・配管材保護カバーと、当該配線・配管材保護カバーの基台を構成する各基台板部と壁面との間に介装されて各基台板部を嵩上げするためのスペーサとから成り、前記配線・配管材保護カバーは、直交する２つの基台板部が前記出隅部を構成する各壁面にビスによりそれぞれ固定されるＬ字形の基台と、前記直線配設部保護カバーの各端部を覆った状態で前記基台に対して分離可能に係止される同じくＬ字形の蓋体とから成り、前記基台を構成する各基台板部に前記ビスを挿通するために形成された各ビス挿通孔の少なくとも一方は、配管方向に沿って長孔状に形成され、前記各基台板部に形成された長孔状のビス挿通孔の長さは、前記スペーサの厚さよりも長くなっていることを特徴としている。
【００１２】
請求項２の発明によれば、スペーサと一体に壁面に固定する側の基台板部とは異なる「他方の基台板部」は、スペーサの介装により壁面に対して当該スペーサの厚さ分だけスライドされるが、当該「他方の基台板部」に配管方向に沿って長孔状に形成されたビス挿通孔は、前記スペーサの厚さよりも長くなっているので、「他方の基台板部」を壁面に固定しているビスは、螺入したままで「他方の基台板部」をスライドさせられる。
【００１３】
また、請求項３及び４の各発明は、請求項１及び２の各発明が出隅配設部を保護する保護カバーであったのに対して、入隅配設部を保護する保護カバーである点、即ち用途が異なるのみであって、特徴とする構成、及びその作用効果は、請求項１及び２の各発明と実質的に同一である。
【発明の効果】
【００１４】
本発明によれば、壁面の出隅部又は入隅部において、ビス螺入時（打込み時）の衝撃により、壁面から離れて基台が固定されたのを、基台が壁面に全面密着するように修復する場合でも、ビスを再螺入する（打ち直す）必要がなくなるため、壁面に対するビスの固定力が全く低下することなく、壁面に基台を固定できる。また、基台と壁面との間にスペーサを介装させるのを忘れて基台を壁面に固定した後に、スペーサを介装させる場合でも、スペーサを介装させない側のビスは、取り外すことなく螺入状態（打込み状態）のままでよく、しかもスペーサを介装させる側のビスは、元のビス孔に再螺入できるので、壁面におけるビス螺入部が崩れることなく、壁面にビスをしっかりと再螺入（再打込み）できる。
【発明を実施するための最良の形態】
【００１５】
以下、最良の実施例を挙げて本発明について更に詳細に説明する。
【実施例１】
【００１６】
最初に、図１ないし図４を参照して、建物壁の出隅部Ｎ1 に配管された給水湯管Ｐの出隅配管部Ｐ1 を保護できる保護カバーＣ1 の構成について説明し、その後に、当該保護カバーＣ1 を使用して、給水湯管Ｐの出隅配管部Ｐ1 を保護するための施工方法について説明する。図１は、保護カバーＣ1 を構成して、建物壁の出隅部Ｎ1 に固定される基台Ｖ1 の斜視図であり、図２は、同じく蓋体Ｌ1 の斜視図であり、図３は、基台Ｖ1 の正面図であり、図４（ａ），（ｂ）は、それぞれ図３のＨ1 −Ｈ1 線及びＨ2 −Ｈ2 線の各断面図である。
【００１７】
図１ないし図４に示されるように、出隅配管部Ｐ1 を保護する保護カバーＣ1 は、全体形状がＬ字形をした基台Ｖ1 と、直線配管部保護カバーＣ0 の端部に接続される接続口２０が両端部にそれぞれ形成されて、前記基台Ｖ1 に覆蓋される蓋体Ｌ1 とで構成される。基台Ｖ1 は、図１、図３及び図４に示されるように、第１及び第２の各基台板部１，２が直交して一体に形成されていて、第１及び第２の各基台板部１，２の交差角が２７０°を形成する側の面に、蓋体Ｌ1 の係止片２３及び係止突起２５に対して解除可能に係止させるために必要な第１及び第２の各被係止凹部３，４が形成されている。第１及び第２の各基台板部１，２の交差角が２７０°を形成する側の各面には、第１及び第２の各基台板部１，２の屈曲線に対して対称に各部材が一体に形成されている。第１及び第２の各基台板部１，２の屈曲部における幅方向Ｒの両端部には、各基台板部１，２に対して垂直となって第１立壁部５が、配管方向（幅方向Ｒと直交する方向）Ｑに沿った両端から所定距離を除いた残りの部分に連続して形成され、前記第１立壁部５の長手方向の両端部の内側には、当該第１立壁部５の長さ方向に沿って第１被係止凹部３が形成され、前記第１立壁部５には、全長が当該第１立壁部５よりも短くて高さの高い第２立壁部６が一体に形成され、第１及び第２の各立壁部５，６の外側面は、当該第２立壁部６が外方に僅かに突出して段差状に形成されて、当該段差部が第２被係止凹部４（図１及び図４参照）となっている。即ち、第１被係止凹部３は、第１及び第２の各基台板部１，２に幅方向Ｒの中心線に対して対称位置に一対ずつ計二対形成され、第２被係止凹部４は、基台Ｖ1 に対して蓋体Ｌ1 をスライドさせて覆蓋させる際に、第１及び第２のいずれの基台板部１，２の側からも覆蓋可能なように、第１及び第２の各基台板部１，２に跨がった状態で幅方向Ｒの中心線に対して対称位置に一対形成されている。即ち、基台Ｖ1 は、計二対の第１被係止凹部３と一対の第２被係止凹部４を備えており、基台Ｖ1 に蓋体Ｌ1 を覆蓋されて両者Ｖ1 ，Ｌ1 を分離可能に連結させる際に、二対の第１被係止凹部３が主体となって、基台Ｖ1 と蓋体Ｌ1 とが組み付けられる。
【００１８】
第１立壁部５の両端面は、第１及び第２の各基台板部１，２の板面に対して鈍角を形成するように傾斜していて、第１立壁部５の延長線上には、当該第１立壁部５の端面と所定間隔をおいて、基台Ｖ1 に対して蓋体Ｌ1 をスライドさせて覆蓋させる際に、当該蓋体Ｌ1 の係止片２３が当接するスライド端規制部１１が形成されている。第１立壁部５の両端面と前記スライド端規制部１１の内端面との間には、蓋体Ｌ1 の内側面との間に所定間隔をおいて係止片２３を一体に取付けている連結部２４との干渉を回避するための干渉回避空間１２が形成されている。また、前記干渉回避空間１２の内側には、基台Ｖ1 の第１被係止凹部３と蓋体Ｌ1 の係止片２３とが係止した状態において、当該係止片２３が基台Ｖ1 の幅方向Ｒの内方に微動して、前記係止が解除されるのを防止するために、前記係止片２３と僅かに当接する当接突条１３が配管方向Ｑに沿って形成されている。
【００１９】
また、第１及び第２の各基台板部１，２の幅方向Ｒの両端部であって、前記第１立壁部５の内側の部分には、配管方向Ｑの全長に亘って各基台板部１，２を補強するための一対の補強用リブ１４が形成され、第１及び第２の各基台板部１，２には、幅方向Ｒに沿って異なる位置に配管方向Ｑに沿って長孔状をしたビス挿通孔１５がそれぞれ形成されている。ビス挿通孔１５の長手方向の中央部には、ビスＢの頭部Ｂ1 を挿入するための円錐状の凹部１５ａが形成されている。ビス挿通孔１５の長さ（Ｊ）は、基台Ｖ1 の各基台板部１，２を嵩上げさせるために壁面Ｗ1 ，Ｗ2 との間に介装されるスペーサＳ1 の予測最大厚さよりも長くしてある。このように、第１及び第２の各基台板部１，２に形成される各ビス挿通孔１５の位置を幅方向Ｒにずらしてあるのは、各ビス挿通孔１５に挿通されて、出隅部Ｎ1 を構成する各壁面Ｗ1 ，Ｗ2 に螺入された各ビスＢの干渉を避けるためである。なお、図３及び図４において、１６は、予め出隅部Ｎ1 を構成する壁面Ｗ1 ，Ｗ2 に固定されている基台Ｖ1 に対して直線配管部保護カバーＣ0 の基台Ｖ0 を各壁面Ｗ1 ，Ｗ2 に固定する際に、当該基台Ｖ0 の幅方向Ｒに沿った位置決めを行うための一対の位置決め板部を示し、１７は、成形時において第１被係止凹部３を成形するための移動型（スライドコア）の抜孔を示し、７は、各基台板部１，２の幅方向Ｒの中央に配管方向Ｑに沿って形成された幅方向中心凹条を示す。
【００２０】
次に、図２を参照して、前記基台Ｖ1 に対してスライドさせて覆蓋させるための蓋体Ｌ1 について説明する。蓋体Ｌ1 は、全体形状がＬ字形をなしていて、交差角が９０°の側が開口されて、両端部に直線配管部保護カバーＣ0 の端部に接続される接続口２０がそれぞれ形成され、所定間隔をおいて配置されたＬ字形の正面形状を有する一対の側板部２１が、断面Ｌ字形をした天板部２２で一体に連結された形状を有している。蓋体Ｌ1 の各側板部２１の内側面における前記基台Ｖ1 の計二対の第１被係止凹部３に対応する位置には、当該蓋体Ｌ1 における基台Ｖ1 と対向する側の開口に臨んた状態で計二対の係止片２３がそれぞれ一体に形成されている。係止片２３は、ストレート状の弾性片であって、側板部２１と所定間隔をおいて当該側板部２１及び前記開口面の双方に対して平行に配置されて、即ち、配管方向Ｑに沿って配置されて、連結部２４を介して長手方向における接続口２０の側の端部が側板部２１に一体に連結されている。従って、係止片２３は、連結部２４に対して片持ち状に形成されて、弾性変形可能となっている。また、Ｌ字形の側板部２１を屈曲部で二分した一方の内側面には、前記開口面と平行となって所定長のストレート状の係止突起２５が当該開口に臨んで一体に設けられている。
【００２１】
本発明に係る出隅配管部Ｐ1 の保護カバーＣ1 は、基台Ｖ1 に対して蓋体Ｌ1 を覆蓋させる際に、当該蓋体Ｌ1 を出隅部Ｎ1 を構成する一方の壁面Ｗ1 （又はＷ2 ）と平行となるように、当該壁面Ｗ1 （又はＷ2 ）に沿ってスライドさせて行う構成であり、Ｌ字形の全体形状を有する蓋体Ｌ1 をスライドさせる方向Ｄ1 （図２及び図８参照）は、係止片２３と係止突起２５との双方が形成されている側に特定（限定）され、他方の方向では、基台Ｖ1 に対する蓋体Ｌ1 の覆蓋が難しくなる。このため、蓋体Ｌ1 の天板部２２の裏面における接続口２０に臨む部分に、スライド方向Ｄ1 を示す矢印２６が表示されていると共に、天板部２２における当該矢印２６と反対の面（表面）には、前記蓋体Ｌ1 を屈曲部で二分した場合に前記スライド方向Ｄ1 の側であることを示す小突起２７（図７参照）が形成されている。なお、図２において、２８は、基台Ｖ1 と蓋体Ｌ1 との係止を解除する際に、各側板部２１を内方に押圧させて弾性変形させる際に、内側に係止片２３の配置位置を外側から分からしめるための係止片位置明示部を示す。
【００２２】
次に、図５ないし図８を参照して、直交して隣接する各壁面Ｗ1 ，Ｗ2 に亘って配管された給水湯管Ｐの出隅配管部Ｐ1 を前記保護カバーＣ1 で保護する方法について説明する。図５は、出隅部Ｎ1 を構成する各壁面Ｗ1 ，Ｗ2 に基台Ｖ1 が全面密着しないで固定された状態の断面図（図１のＵ−Ｕ線断面図）であり、図６は、基台Ｖ1 の屈曲部１９に衝撃力Ｆ1 を加えることにより各基台板部１，２を僅かにスライドさせて、基台Ｖ1 を壁面Ｗ1 ，Ｗ2 に全面密着させた状態の断面図（図１のＵ−Ｕ線断面図）であり、図７は、配管後において基台Ｖ1 に対して蓋体Ｌ1 を覆蓋させる前の状態の斜視図であり、図８は、配管後において基台Ｖ1 に対して蓋体Ｌ1 を覆蓋させた状態の断面図である。
【００２３】
ここで、保護カバーＣ1 を構成する基台Ｖ1 は、全体が板状であるために、許容範囲内において僅かに曲げたり、捩ったりすることが可能である。このため、図５に示されるように、基台Ｖ1 を構成する第１及び第２の各基台板部１，２のビス挿通孔１５に挿通したビスＢを各壁面Ｗ1 ，Ｗ2 に螺入させると、ビスＢの螺入時（打込み時）の衝撃により各基台板部１，２が壁面Ｗ1 ，Ｗ2 から離れ、壁面Ｗ1 ，Ｗ2 と第１及び第２の各基台板部１，２との間に隙間８１が発生して、基台Ｖ1 が各壁面Ｗ1 ，Ｗ2 に全面密着しない場合がある。この例では、前記隙間８１は、各壁面Ｗ1 ，Ｗ2 のいずれに対しても発生している。この場合には、以下のようにして修復して、基台Ｖ1 の第１及び第２の各基台板部１，２を各壁面Ｗ1 ，Ｗ2 に全面密着させる。前記隙間８１をなくすために、図５で２点鎖線で示されるように、各ビスＢの頭部Ｂ1 が凹部１５ａから出る程度に各ビスＢを緩めておいて、基台Ｖ1 の屈曲部１９に前記隙間８１を解消可能な方向（この例では、各壁面Ｗ1 ，Ｗ2 のいずれに対してもほぼ１３５°の方向）から衝撃力Ｆ1 を加えて、第１及び第２の各基台板部１，２をそれぞれ壁面Ｗ1 ，Ｗ2 に対して僅かにスライドさせると、基台Ｖ1 は各壁面Ｗ1 ，Ｗ2 に全面密着する。その後に、各ビスＢを壁面Ｗ1 ，Ｗ2 に対して再度僅かに螺入すると、各壁面Ｗ1 ，Ｗ2 に基台Ｖ1 が全面密着した状態で固定される。この結果、前記隙間８１における壁面Ｗ2 と同Ｗ1 に対してそれぞれ垂直な方向に沿った長さをＫ1 ，Ｋ2 とすると、第１及び第２の各基台板部１，２のビス挿通孔１５の凹部１５ａに頭部Ｂ1 が挿入されたビスＢの中心と、当該ビスＢを挿通しているビス挿通孔１５の一方の形成端との長さ（Ｍ1 ）は、それぞれ（Ｍ1 −Ｋ1 ），（Ｍ1 −Ｋ2 ）に変化する。即ち、ビスＢに対する第１及び第２の各基台板部１，２の位置が、それぞれスライド方向に沿って僅かに変化する。
【００２４】
これにより、各ビスＢを完全に外すことなく、僅かに緩めて基台Ｖ1 の第１及び第２の各基台板部１，２を僅かにスライドさせるのみで、基台Ｖ1 と各壁面Ｗ1 ，Ｗ2 との間に形成された隙間８１を完全になくして、壁面Ｗ1 ，Ｗ2 に対して基台Ｖ1 を全面密着させられる。このように、ビスＢを完全に取り外すことなく、壁面Ｗ1 ，Ｗ2 に対して基台Ｖ1 を再固定できるので、前記隙間８１をなくすための修復作業が容易となる。
【００２５】
その後に、出隅部Ｎ1 に固定された保護カバーＣ1 の基台Ｖ1 に対して直線配管部保護カバーＣ0 の基台Ｖ0 を接続した後に、当該基台Ｖ0 に設けられた２本の管保持部８２（図７参照）にそれぞれ給水湯管Ｐの直線配管部Ｐ0 を保持させると共に、出隅部Ｎ1 においては各壁面Ｗ1 ，Ｗ2 に沿って配管された各直線配管部Ｐ0 をエルボＥ1 で連結し、その後に基台Ｖ0 に対して蓋体Ｌ0 を覆蓋させる。その後に、基台Ｖ1 に対して蓋体Ｌ1 をスライド方向Ｄ1 にスライドさせると、基台Ｖ1 の二対の第１被係止凹部３と蓋体Ｌ1 の二対の係止片２３が係止すると共に、基台Ｖ1 の第２被係止凹部４と蓋体Ｌ1 の係止突起２５とが係止して、基台Ｖ1 に対して蓋体Ｌ1 が組み付けられて、基台Ｖ1 と蓋体Ｌ1 とで形成される収容空間２９にエルボＥ1 （出隅配管部Ｐ1 ）が収容される（図８参照）。
【００２６】
上記例は、各壁面Ｗ1 ，Ｗ2 の双方に対して隙間８１が発生した例であるが、各壁面Ｗ1 ，Ｗ2 のいずれか一方にのみ隙間が発生した場合には、隙間が発生しない側のビスＢは、螺入状態のままにして、隙間が発生した側のビスＢの頭部Ｂ1 のみをビス挿通孔１５の凹部１５ａから外して、当該ビスＢの側の基台板部１（２）を僅かにスライドさせればよい。また、上記例では、ビス挿通孔１５の長手方向の中央部に、ビスＢの頭部Ｂ1 が基台板部１，２の表面から突出するのを防止するために、当該ビスＢの頭部Ｂ1 を挿入可能な凹部１５ａが形成されているため、スライドさせる側の基台板部１，２を固定しているビスＢの頭部Ｂ1 をビス挿通孔１５の凹部１５ａから外す必要があるが、ビス挿通孔１５の中央部に凹部１５ａが形成されていない場合には、ビスＢの螺入状態のままで基台板部１，２をスライドさせられる。
【００２７】
また、上記実施例は、２本のビスＢを各壁面Ｗ1 ，Ｗ2 に螺入した（打ち込んだ）後に、保護カバーＣ1 の屈曲部１９に衝撃力を加えて、各基台板部１，２が壁面Ｗ1 ，Ｗ2 に密着するように修正している。しかし、１本目（最初）のビスＢにより一方の基台板部１（２）を壁面Ｗ1 （Ｗ2 ）に固定した際に、他方の基台板部２（１）が壁面Ｗ2 （Ｗ1 ）との間に隙間が発生した状態になっている場合でも、１本目（最初）のビスＢが仮固定状態であるならば、他方の基台板部２（１）を壁面Ｗ2 （Ｗ1 ）に固定（本固定）することにより、前記「一方の基台板部１（２）」を壁面Ｗ2 （Ｗ1 ）の側にスライドさせて、前記「隙間」が解消されるため、後工程で保護カバーＣ1 に衝撃力を加えて強制的にスライドさせなくても、前記「隙間」は自然に解消される。
【００２８】
次に、図９−１，図９−２及び図１０を参照して、誤って基台Ｖ1 を固定してしまった後に、壁面Ｗ2 との間にスペーサＳ1 を介装させる順序について説明する。図９−１（ａ），（ｂ）は、出隅部Ｎ1 に誤って基台Ｖ1 を固定した状態、及びスペーサＳ1 を介装させるために、一方のビスＢを取り外して基台Ｖ1 をスライドさせた状態の断面図であり、図９−２（ｃ），（ｄ）は、基台Ｖ1 の第２基台板部２と壁面Ｗ2 との間にスペーサＳ1 を介装させた状態、及びスペーサＳ1 を介して基台Ｖ1 の第２基台板部２を壁面Ｗ2 にビスＢにより固定した状態の断面図であり、図１０（ａ）は、図９−２（ｄ）のＹ−Ｙ線断面図であり、同（ｂ）は、スペーサＳ1 を２枚重ねに使用した場合における図９−２（ｄ）のＹ−Ｙ線断面図である。
【００２９】
図９−１（ａ）に示されるように、スペーサＳ1 により嵩上げするのを忘れて、出隅部Ｎ1 に基台Ｖ1 を固定した後に、スペーサＳ1 による嵩上げの必要性に気付いた場合には、嵩上げする側のビスＢを取り外すと共に、他方のビスＢの頭部Ｂ1 をビス挿通孔１５の凹部１５ａから抜け出る程度に当該ビスを外すことなく緩めた後に、図９−１（ｂ）に示されるように、基台Ｖ1 を壁面Ｗ2 に垂直な方向にスペーサＳ1 の厚さを僅かに超える長さだけスライドさせて、壁面Ｗ2 と基台Ｖ1 の基台板部２との間に隙間８３を形成する。次に、図９−２（ｃ）に示されるように、前記隙間８３に、スペーサＳ1 を挿入した後に、スペーサＳ1 と基台Ｖ1 の第２基台板部２、及び壁面Ｗ2 との間にいずれも隙間がなくなるように、基台Ｖ1 を前記したスペーサ方向と逆の方向に微動させ、その後に、図９−２（ｄ）に示されるように、取り外したビスＢを再度スペーサＳ1 を貫通させて壁面Ｗ2 に螺入させると共に、凹部１５ａから頭部Ｂ1 のみを出して大部分が螺入されている別のビスＢを、残り分だけ螺入させる。これにより、基台Ｖ1 の第２基台板部２とスペーサＳ1 とが一体となって壁面Ｗ2 に固定されて、基台Ｖ1 の第２基台板部２の側がスペーサＳ1 の板厚（Ｔ）だけ嵩上げされる。このように、スペーサＳ1 により嵩上げするのを忘れて基台Ｖ1 を出隅部Ｎ1 に固定した後においても、当該基台Ｖ1 を各壁面Ｗ1 ，Ｗ2 に固定している２本のビスＢのうち一方は取り外すことなく、基台Ｖ1 をスライドさせられ、しかも壁面Ｗ2 から取り外したビスＢは、元の螺子孔８４にそのまま再螺入されるため、螺子孔８４の崩れがなくなって、第２基台板部２とスペーサＳ1 を一体にしてしっかりと壁面Ｗ2 に固定できる。よって、基台Ｖ1 の固定後にスペーサＳ1 を介装させる「やり直し作業」が容易となる。
【００３０】
ここで、スペーサＳ1 は、図１０（ａ）に示されるように、出隅配管部Ｐ1 及び入隅配管部Ｐ2 を保護する保護カバーＣ1 ，Ｃ2 の基台Ｖ1 ，Ｖ2 の専用のスペーサであって、スペーサ本体部６１の上面に、基台Ｖ1 に補強用リブ１４を形成することにより裏面側に形成された左右一対の溝部１８に挿入される一対の嵌合突条６２が形成され、スペーサ本体部６１裏面に、別のスペーサＳ1 を重ね合わせて使用する場合に、当該別のスペーサＳ1 の嵌合突条６２が嵌合される嵌合凹条６３が形成された構成である。また、図１０（ｂ）に示されるように、２枚又は２枚を超える複数枚のスペーサＳ1 を重ね合わせることにより、嵩上げ高さの調整が可能であり、更に第１及び第２の各基台板部１，２の双方を嵩上げすることも可能である。基台Ｖ1 の基台板部１，２に形成したビス挿通孔１５の長さ（Ｊ）は、スペーサＳ1 の厚さＴ（２Ｔ）よりも長いので、スペーサＳ1 を介装させない側の第１基台板部１のビスＢを壁面Ｗ1 に螺入したままで、基台Ｖ1 のスライドが可能である。
【００３１】
以後は、上記した場合と全く同様にして、配管を行って、出隅部Ｎ1 に配管された出隅配管部Ｐ1 を保護カバーＣ1 で保護する。なお、図９−２（ｄ）において、Ｓ2 は、直線配管部保護カバーＣ0 の基台Ｖ0 を嵩上げするための別のスペーサを示す。
【実施例２】
【００３２】
次に、図１１ないし図１４を参照して、建物壁の入隅部Ｎ2 に配管された給水湯管Ｐの入隅配管部Ｐ2 を保護できる保護カバーＣ2 の構成について説明し、その後に、当該保護カバーＣ2 を使用して、給水湯管Ｐの入隅配管部Ｐ2 を保護するための施工方法について説明する。図１１は、保護カバーＣ2 を構成して、建物壁の入隅部Ｎ2 に固定される基台Ｖ2 の斜視図であり、図１２は、同じく蓋体Ｌ2 の斜視図であり、図１３は、基台Ｖ2 の正面図であり、図１４（ａ），（ｂ），（ｃ）は、それぞれ図１３のＸ1 −Ｘ1 線、Ｘ2 −Ｘ2 線及びＸ3 −Ｘ3 線の各断面図である。
【００３３】
ここで、上記した出隅配管部保護カバーＣ1 と入隅配管部保護カバーＣ2 を構成する基台Ｖ1 （Ｖ2 ）は、いずれもＬ字形をしていて、各部材を形成角が９０°の側か、或いは２７０°の側に形成するかの相違のみであって、「長孔状のビス挿通孔に挿通されるビスを用いた基台の固定構造」及び「係止構造」の面から把握した場合には、前記相違を除けば実質的に同一である。全く同様に、各保護カバーＣ1 ，Ｃ2 を構成する蓋体Ｌ1 ，Ｌ2 に関しても、形成角が９０°の側が開口しているか、形成角が２７０°の側が開口しているかの相違のみであって、「係止構造」の面から把握した場合には、前記開口形成位置の相違を除けば実質的に同一である。従って、入隅配管部保護カバーＣ2 の説明に関しては、出隅配管部保護カバーＣ1 の説明で使用した「符号」と関連する「関連符号（同一又は同等部分に関しては、符号の１桁目が同一となっている）」を使用し、同一又は実質的に同等の部分の重複説明を避けて、入隅配管部保護カバーＣ2 の特有の部分についてのみ説明する。
【００３４】
また、入隅配管部保護カバーＣ2 を構成する基台Ｖ2 は、図１１、図１３及び図１４に示されるように、全体形状がＬ字形をしていて、互いに直交して折り曲げられた形状の第１及び第２の各基台板部３１，３２の形成角が９０°の側の面に必要な部材が一体に形成されていて、形成角が２７０°の側の面は、入隅部Ｎ2 を構成する壁面Ｗ2 ，Ｗ3 に密着されられる面であるため平面状に形成されている。そして、前記保護カバーＣ1 の基台Ｖ1 とは反対に、保護カバーＣ2 の基台Ｖ2 を構成する第１及び第２の各基台板部３１，３２の形成角が９０°の側の面に、第１被係止凹部３３、第２被係止凹部３４、第１立壁部３５、第２立壁部３６、干渉回避空間４２、当接突条４３、補強用リブ４４、位置決め板部４６及び抜孔４７が、保護カバーＣ1 の基台Ｖ1 に形成された各部分に相当する部分にそれぞれ同様に形成されている。
【００３５】
ここで、長孔状をしたビス挿通孔４５に関しては、出隅配管部Ｐ1 を保護する保護カバーＣ1 の基台Ｖ1 と異なって、各基台板部３１，３２を固定する２本のビスＢが干渉することはないので、各基台板部３１，３２に配管方向Ｑに沿って形成されるビス挿通孔４５は、幅方向中心凹条３７上に形成されている。長孔状をしたビス挿通孔４５の長手方向の中央部には、ビスＢの頭部Ｂ1 を挿入する中空円錐状の凹部４５ａが形成されている構成も同様である。
【００３６】
また、入隅配管部保護カバーＣ2 を構成する蓋体Ｌ2 は、図１２に示されるように、全体形状がＬ字形をしていて、形成角（交差角）が２７０°の側が開口されていて、各側板部５１が天板部５２で連結されて、配管方向の両端部が接続口５０となっている。各側板部５１の内側面における前記開口に臨む部分には、前記保護カバーＣ1 の蓋体Ｌ1 と同様にして、計二対の係止片５３と一対の係止突起５５とが形成されている。係止片５３は、側板部５１の内側面と所定間隔をおいて配置されて連結部５４により連結されている。基台Ｖ2 に対して蓋体Ｌ2 をスライドさせて覆蓋させる際において、蓋体Ｌ2 を屈曲部で二分した場合に一対の係止片５３と一対の係止突起５５とが形成されている側の側板部５１の端面の長手方向がスライド方向Ｄ2 （図１７参照）となる。なお、図１２及び図１７において、５７は、蓋体Ｌ2 を屈曲部４９で二分した場合にスライドさせる側の天板部５２に形成された小突起であり、５８は、側板部５１における内側に係止片５３が形成された部分に形成された係止片位置明示部を示す。
【００３７】
ここで、図１５に示されるように、保護カバーＣ2 の基台Ｖ2 の各ビス挿通孔４５に挿通された各ビスＢを、入隅部Ｎ2 を構成する各壁面Ｗ2 ，Ｗ3 に衝撃的に螺入して（打ち込んで）固定した場合に、各壁面Ｗ2 ，Ｗ3 との間に隙間９１が発生した場合には、以下のようにして修復して、基台Ｖ2 を各壁面Ｗ2 ，Ｗ3 に全面密着させる。即ち、ビスＢの頭部Ｂ1 を、第１及び第２の各基台板部３１，３２のビス挿通孔４５の凹部４５ａから出る程度に緩めておいて、各基台板部３１，３２に対してほぼ４５°で交差する方向から基台Ｖ2 の屈曲部４９に衝撃力Ｆ2 を加えると、第１及び第２の各基台板部３１，３２は、それぞれ壁面Ｗ2 ，Ｗ3 に沿ってＫ21, Ｋ22だけスライドして、基台Ｖ2 の全面が壁面Ｗ2 ，Ｗ3 に密着する（図１６参照）。このため、前記隙間９１における壁面Ｗ3 と同Ｗ2 に対してそれぞれな方向に沿った長さをＫ21，Ｋ22とすると、第１及び第２の各基台板部３１，３２のビス挿通孔４５の凹部４５ａに頭部Ｂ1 が挿入されたビスＢの中心と、当該ビスＢを挿通しているビス挿通孔４５の一方の形成端との長さ（Ｍ2 ）は、それぞれ（Ｍ2 −Ｋ21），（Ｍ2 −Ｋ22）に変化する。即ち、ビスＢに対する第１及び第２の各基台板部３１，３２の位置が、それぞれスライド方向に沿って僅かに変化する。よって、ビスＢを取り外すことなく、基台Ｖ2 の全面が各壁面Ｗ2 ，Ｗ3 に密着するように修復できる。
【００３８】
そして、出隅配管部Ｐ1 の保護カバーＣ1 と同様にして、基台Ｖ2 に直線配管部保護カバーＣ0 の基台Ｖ0 を接続して、各壁面Ｗ2 ，Ｗ3 に沿って配管された直線配管部Ｐ0 を入隅部Ｎ2 の部分でエルボＥ2 により接続して、直線配管部Ｐ0 の基台Ｖ0 に蓋体Ｌ0 を覆蓋させる。その後に、図１７に示されるように、保護カバーＣ2 の蓋体Ｌ2 を壁面Ｗ2 に沿ったスライド方向Ｄ2 にスライドさせると、基台Ｖ2 の二対の第１被係止凹部３３と蓋体Ｌ2 の二対の係止片５３とが係止すると共に、基台Ｖ2 の第２被係止凹部３４と蓋体Ｌ2 の係止突起５５とが係止して、基台Ｖ2 に対して蓋体Ｌ2 が覆蓋状態で組み付けられる（図１８参照）。なお、図１８において、５９は、保護カバーＣ2 の収容空間を示す。
【００３９】
また、図１９−１（ａ）に示されるように、スペーサＳ1 により嵩上げするのを忘れて入隅部Ｎ2 に基台Ｖ2 を固定した後に、前記嵩上げの必要性に気付いた場合には、保護カバーＣ1 の基台Ｖ1 の場合と同様にして行う。即ち、図１９−１（ｂ）に示されるように、嵩上げする側の第２基台板部３２を壁面Ｗ3 に固定しているビスＢを取り外すと共に、第１基台板部３１を壁面Ｗ2 に固定しているビスＢの頭部Ｂ1 がビス挿通孔４５の凹部４５ａから抜け出る程度にビスＢを緩めた後に、基台Ｖ2 を壁面Ｗ2 に沿ってスライドさせて、壁面Ｗ3 と第２基台板部３２との間に隙間９３を形成する〔図１９−１（ｂ）参照〕。
【００４０】
次に、前記隙間９３にスペーサＳ1 を挿入配置した〔図１９−２（ｃ）参照〕後に、再度基台Ｖ2 を上記と逆方向にスライドさせて、スペーサＳ1 を第２基台板部３２及び壁面Ｗ3 の双方に対して密着させて、スペーサＳ1 と第２基台板部３２とを一体にして、ビスＢを元の螺子孔９４に螺入することにより、スペーサＳ1 と第２基台板部３２とを壁面Ｗ3 に固定する〔図１９−２（ｄ）参照〕。この場合においても、第１基台板部３１の側のビスＢは、取り外すことなく、第２基台板部３２と壁面Ｗ3 との間にスペーサＳ1 を介装できる。なお、出隅配管部Ｐ1 と入隅配管部Ｐ2 を保護する保護カバーＣ1 ，Ｃ2 は対となって扱われるため、各保護カバーＣ1 ，Ｃ2 を構成する基台Ｖ1 ，Ｖ2 に形成された一対の補強用リブ１４，４４の間隔は同一であるので、共通のスペーサＳ1 の使用が可能である。
【００４１】
また、実施例１，２では、第１及び第２の各基台板部に形成された各ビス挿通孔はいずれも長孔状にしてあるが、本発明においては、前記各ビス挿通孔のいずれか一方が長孔状になっていればよく、従って、一方のビス挿通孔のみが長孔状であってもよい。この場合には、長孔状のビス挿通孔を有する一方の基台板部を先に固定すると、仮に「他方の基台板部」と壁面との間に隙間が発生しても、当該「他方の基台板部」を壁面に固定する際に、前記「一方の基台板部」がスライドされて前記隙間が解消される。また、スペーサを使用する場合には、上記とは逆に、長孔状でないビス挿通孔を有する基台板部と壁面との間にスペーサを介装させて、当該基台板部の側を最初に固定すればよい。
【００４２】
また、上記実施例１，２は、いずれも、施工上の不具合により直角に対して僅かに鈍角又は鋭角となった出隅部Ｎ1 又は入隅部Ｎ2 においても、基台Ｖ1(Ｖ2)に対して蓋体Ｌ1(Ｌ2)が外れることなく係止可能なように、基台Ｖ1(Ｖ2)に対して蓋体Ｌ1(Ｌ2)をスライドさせて組み付ける場合において、スライド方向に沿った側の基台Ｖ1(Ｖ2)に一対の第１被係止凹部３（３３）と一対の第２被係止凹部４（３４）との計二対の被係止部を形成すると共に、同様の側の蓋体Ｌ1(Ｌ2)に一対の係止片２３（５３）と一対の係止突起２５（５５）との計二対の係止部を形成して、蓋体Ｌ1(Ｌ2)のスライド方向と直交する側に形成された基台Ｖ1(Ｖ2)に一対の第１被係止凹部３（３３）と蓋体Ｌ1(Ｌ2)の一対の係止片２３（５３）とが係止しない場合においても、基台Ｖ1(Ｖ2)に対して蓋体Ｌ1(Ｌ2)が外れない構成にしてあって、「係止構造」の面において特有の効果を奏する保護カバーＣ1(Ｃ2)に対して本発明を実施したものである。
【００４３】
しかし、本発明は、基台と蓋体との「係止構造」に特徴を有するものではないので、基台と蓋体との「係止構造」は、上記した特有の利点を有する「係止構造」に限られず、基台側の係止段部（係止凹部）と蓋体側の係止爪による一般的な「係止構造」を有する出隅配管部、及び入隅配管部の保護カバーに対しても実施可能である。
【００４４】
なお、上記実施例１，２は、本発明を給水湯管の保護カバーに対して実施した例であるが、本発明は、エアコン用冷媒管、配線・ケーブル等の配線・配管に使用される保護カバーに対しても実施可能である。
【図面の簡単な説明】
【００４５】
【図１】保護カバーＣ1 を構成していて、建物壁の出隅部Ｎ1 に固定される基台Ｖ1 の斜視図である。
【図２】同じく蓋体Ｌ1 の斜視図である。
【図３】基台Ｖ1 の正面図である。
【図４】（ａ），（ｂ）は、それぞれ図３のＨ1 −Ｈ1 線及びＨ2 −Ｈ2 線の各断面図である。
【図５】出隅部Ｎ1 を構成する各壁面Ｗ1 ，Ｗ2 に基台Ｖ1 が全面密着しないで固定された状態の断面図（図１のＵ−Ｕ線断面図）である。
【図６】基台Ｖ1 の屈曲部１９に衝撃力Ｆ1 を加えることにより各基台板部１，２を僅かにスライドさせて、基台Ｖ1 を壁面Ｗ1 ，Ｗ2 に全面密着させた状態の断面図（図１のＵ−Ｕ線断面図）である。
【図７】配管後において基台Ｖ1 に対して蓋体Ｌ1 を覆蓋させる前の状態の斜視図である。
【図８】配管後において基台Ｖ1 に対して蓋体Ｌ1 を覆蓋させた状態の断面図である。
【図９−１】（ａ），（ｂ）は、それぞれ出隅部Ｎ1 に誤って基台Ｖ1 を固定した状態、及びスペーサＳ1 を介装させるために、一方のビスＢを取り外して基台Ｖ1 をスライドさせた状態の断面図である。
【図９−２】（ｃ），（ｄ）は、それぞれ基台Ｖ1 の第２基台板部２と壁面Ｗ2 との間にスペーサＳ1 を介装させた状態、及びスペーサＳ1 を介して基台Ｖ1 の第２基台板部２を壁面Ｗ2 にビスＢにより固定した状態の断面図である。
【図１０】（ａ）は、図９−２（ｄ）のＹ−Ｙ線断面図であり、（ｂ）は、スペーサＳ1 を２枚重ねに使用した場合における図９−２（ｄ）のＹ−Ｙ線断面図である。
【図１１】保護カバーＣ2 を構成していて、建物壁の入隅部Ｎ2 に固定される基台Ｖ2 の斜視図である。
【図１２】同じく蓋体Ｌ2 の斜視図である。
【図１３】基台Ｖ2 の正面図である。
【図１４】（ａ），（ｂ），（ｃ）は、それぞれ図１３のＸ1 −Ｘ1 線、Ｘ2 −Ｘ2 線及びＸ3 −Ｘ3 線の各断面図である。
【図１５】入隅部Ｎ2 を構成する各壁面Ｗ2 ，Ｗ3 に基台Ｖ2 が全面密着しないで固定された状態の断面図である。
【図１６】基台Ｖ2 の屈曲部４９に衝撃力Ｆ2 を加えることにより各基台板部３１，３２を僅かにスライドさせて、基台Ｖ2 を壁面Ｗ2 ，Ｗ3 に全面密着させた状態の断面図である。
【図１７】配管後において保護カバーＣ2 の基台Ｖ2 に対して蓋体Ｌ2 を覆蓋させる前の状態の斜視図である。
【図１８】配管後において基台Ｖ2 に対して蓋体Ｌ2 を覆蓋させた状態の断面図である。
【図１９−１】（ａ），（ｂ）は、それぞれ入隅部Ｎ2 に誤って基台Ｖ2 を固定した状態、及びスペーサＳ1 を介装させるために、一方のビスＢを取り外して基台Ｖ2 をスライドさせた状態の断面図である。
【図１９−２】（ｃ），（ｄ）は、それぞれ基台Ｖ2 の第２基台板部３２と壁面Ｗ3 との間にスペーサＳ1 を介装させた状態、及びスペーサＳ1 を介して基台Ｖ2 の第２基台板３２を壁面Ｗ2 にビスＢにより固定した状態の断面図である。
【符号の説明】
【００４６】
Ｃ0 ：直線配管部保護カバー（直線配設部保護カバー）
Ｃ1 ：出隅配管部保護カバー（出隅配設部保護カバー）
Ｃ2 ：入隅配管部保護カバー（入隅配設部保護カバー）
Ｅ1 ：エルボ（出隅配管部）
Ｅ2 ：エルボ（入隅配管部）
Ｌ1,Ｌ2 ：蓋体
Ｎ1 ：出隅部
Ｎ2 ：入隅部
Ｐ：給水湯管（配線・配管材）
Ｐ0 ：直線配管部
Ｐ1 ：出隅配管部
Ｐ2 ：入隅配管部
Ｖ1,Ｖ2 ：基台
Ｗ1,Ｗ2,Ｗ3 ：壁面
１５，４５：ビス挿通孔
２０，５０：蓋体の接続口
２９，５９：収容空間
【図１】
0005095369.tif 000002
【図２】
0005095369.tif 000003
【図３】
0005095369.tif 000004
【図４】
0005095369.tif 000005
【図５】
0005095369.tif 000006
【図６】
0005095369.tif 000007
【図７】
0005095369.tif 000008
【図８】
0005095369.tif 000009
【図９−１】
0005095369.tif 000010
【図９−２】
0005095369.tif 000011
【図１０】
0005095369.tif 000012
【図１１】
0005095369.tif 000013
【図１２】
0005095369.tif 000014
【図１３】
0005095369.tif 000015
【図１４】
0005095369.tif 000016
【図１５】
0005095369.tif 000017
【図１６】
0005095369.tif 000018
【図１７】
0005095369.tif 000019
【図１８】
0005095369.tif 000020
【図１９−１】
0005095369.tif 000021
【図１９−２】
0005095369.tif 000022